(57)【要約】【課題】本発明の課題は、サーバや回線に負荷をかけずにメールを受信する技術を提供することである。【解決手段】上記課題を解決する本発明は、予め定められた所定の条件とメールのヘッダ情報とを比較し、予め定められた所定の条件を満たすヘッダを有するメールを受信又は受信拒否する。【選択図】図１
2010128944.tif 000002
【特許請求の範囲】
【請求項１】
端末からの要求を受けて、前記端末宛の各メールのヘッダ情報を、メールが記憶されているメール記憶部から取得する取得部と、
前記取得部によって取得されたヘッダ情報を前記端末に送信する送信部と
を有するサーバと、
メールの受信及び受信拒否に関する条件の少なくともいずれか一方が、一つ以上記憶されている条件記憶部と、
前記送信部から送信されたヘッダ情報の各々の少なくとも一部と前記条件とを比較し、前記比較の結果、前記条件に合致するヘッダ情報を有するメールを受信又は受信拒否するかを判定する判定部と、
前記判定部の判定結果に従ってメールを受信する受信部と
を有する端末と
を有することを特徴とするメール受信システム。
【請求項２】
前記ヘッダ情報は、送信元アドレス、サブジェクト及び日付のうち少なくとも一つであることを特徴とする請求項１に記載のメール受信システム。
【請求項３】
前記条件記憶部には、ヘッダ情報の少なくとも一部が条件として記憶されていることを特徴とする請求項１又は請求項２に記載のメール受信システム。
【請求項４】
前記端末は、前記判定部の判定結果において、受信拒否と判定されたヘッダ情報を記した削除要求を発行する削除要求部を有し、
前記サーバは、前記削除要求部が発行した削除要求に記されているヘッダ情報を有するメールを前記メール記憶部から削除する削除部を有すること
を特徴とする請求項１から請求項３の何れかに記載のメール受信システム。
【請求項５】
メールの受信及び受信拒否に関する条件の少なくとも一方が一つ以上記憶されている条件記憶部と、
自端末宛の各メールのヘッダ情報の送信要求に応答してサーバから送信されたヘッダ情報の各々の少なくとも一部と前記条件とを比較し、前記比較部の比較の結果、前記条件に合致するヘッダ情報を有するメールを受信又は受信拒否するかを判定する判定部と、
前記判定部の判定結果に従ってメールを受信する受信部と
を有することを特徴とする端末。
【請求項６】
前記メールのヘッダ情報は、送信元アドレス、サブジェクト又は日付のうち少なくとも一つであることを特徴とする請求項５に記載の端末。
【請求項７】
前記条件記憶部には、ヘッダ情報の少なくとも一部が条件として記憶されていることを特徴とする請求項５又は請求項６に記載の端末。
【請求項８】
前記判定部の判定結果において、受信拒否と判定されたヘッダ情報を記した削除要求を発行する削除要求部を有することを特徴とする請求項５から請求項７の何れかに記載の端末。
【請求項９】
メールの受信及び受信拒否に関する条件の少なくとも一方を一つ以上記憶手段に記憶し、
自端末宛の各メールのヘッダ情報の送信要求を送信し、
前記送信要求に応答して送信されたヘッダ情報の各々の少なくとも一部と前記条件とを比較し、
前記比較の結果、前記条件に合致するヘッダ情報を有するメールを受信又は受信拒否することを特徴とするメール受信方法。
【請求項１０】
前記メールのヘッダ情報は、送信元アドレス、サブジェクト又は日付のうち少なくとも一つであることを特徴とする請求項９に記載のメール受信方法。
【請求項１１】
前記記憶手段に、ヘッダ情報の少なくとも一部を条件として記憶することを特徴とする請求項９又は請求項１０に記載のメール受信方法。
【請求項１２】
前記比較の結果、受信拒否したメールを前記メール記憶部から削除する削除要求を発行することを特徴とする請求項９から請求項１１の何れかに記載のメール受信方法。
【請求項１３】
サーバから送信されたヘッダ情報の各々の少なくとも一部と、予め設定されているメールの受信及び受信拒否に関する条件の各々とを比較し、
前記比較の結果、前記条件に合致するヘッダ情報を有するメールを受信又は受信拒否するかを判定する処理
をコンピュータに実現させることを特徴とするプログラム。
【発明の詳細な説明】
【技術分野】
【０００１】
本発明は、所望のメールを効率的に受信する技術に関する。
【背景技術】
【０００２】
ＰＯＰを用いたメール受信技術では、すべてのメールを、サーバが受信した順番に端末が受信する（特許文献３）。全メールを受信する為、低速な回線でサーバと端末とが接続された環境では大量のメールがあった場合、メールの受信処理に時間がかかる。それ故、優先して受信したいメールをすぐに読むことができないといった問題がある。
【０００３】
大量のメールがあった場合、メールの受信処理に時間がかかるといった問題を回避するため、ＷＥＢメールを用いて、必要とするメールをＷＥＢ上にて読むといった技術がある。しかしながら、この技術は、すべてのサーバがＷＥＢメールに対応する必要があり、また、低速な回線にて接続された環境では受信処理が重くなるといった問題がある。
【０００４】
一方、所定の条件に基づいてメールの受信又は受信拒否の処理をサーバで行う技術がある（特許文献２）。しかしながら、この技術は、ユーザ数が多い場合、サーバの負荷が大きくなるという問題がある。
【０００５】
一方、初めにサーバからメールのヘッダ情報を受信し、ユーザがメール本文の受信又は受信拒否を選択できる技術がある。この技術は、メール本文の受信又は受信拒否の判定を、ユーザが手動で行っている（特許文献１）。この為大量にメールがある場合に、必要なメールを探すのに時間を要するといった問題がある。
【特許文献１】特開２００５‐１８２５４３号公報
【特許文献２】特開平１１‐６５９６２号公報
【特許文献３】特開平１０‐６５７３０号公報
【発明の開示】
【発明が解決しようとする課題】
【０００６】
本発明が解決しようとする課題は、サーバや回線に負荷をかけずにメールを受信する技術を提供することにある。
【課題を解決するための手段】
【０００７】
上記課題を解決する本発明は、端末からの要求を受けて、前記端末宛の各メールのヘッダ情報を、メールが記憶されているメール記憶部から取得する取得部と、前記取得部によって取得されたヘッダ情報を前記端末に送信する送信部とを有するサーバと、メールの受信及び受信拒否に関する条件の少なくともいずれか一方が、一つ以上記憶されている条件記憶部と、前記送信部から送信されたヘッダ情報の各々の少なくとも一部と前記条件とを比較し、前記比較の結果、前記条件に合致するヘッダ情報を有するメールを受信又は受信拒否するかを判定する判定部と、前記判定部の判定結果に従ってメールを受信する受信部とを有する端末とを有することを特徴とするメール受信システムである。
【０００８】
上記課題を解決する本発明は、メールの受信及び受信拒否に関する条件の少なくとも一方が、一つ以上記憶されている条件記憶部と、自端末宛の各メールのヘッダ情報の送信要求に応答してサーバから送信されたヘッダ情報の各々の少なくとも一部と前記条件とを比較し、前記比較の結果、前記条件に合致するヘッダ情報を有するメールを受信又は受信拒否するかを判定する判定部と、前記判定部の判定結果に従ってメールを受信する受信部とを有することを特徴とする端末である。
【０００９】
上記課題を解決する本発明は、メールの受信及び受信拒否に関する条件の少なくとも一方を一つ以上記憶手段に記憶し、自端末宛の各メールのヘッダ情報の送信要求を送信し、
前記送信要求に応答して送信されたヘッダ情報の各々の少なくとも一部と前記条件とを比較し、前記比較部の比較の結果、前記条件に合致するヘッダ情報を有するメールを受信又は受信拒否することを特徴とするメール受信方法である。
【００１０】
上記課題を解決する本発明は、サーバから送信されたヘッダ情報の各々の少なくとも一部と、予め設定されているメールの受信及び受信拒否に関する条件の各々とを比較し、前記比較の結果、前記条件に合致するヘッダ情報を有するメールを受信又は受信拒否するかを判定する処理をコンピュータに実現させることを特徴とするプログラムである。
【発明の効果】
【００１１】
本発明によると、予め定められた所定の条件とメールのヘッダ情報とを比較し、予め定められた所定の条件を満たすヘッダを有するメールを受信又は受信拒否するようにしているため、必要とするメールを効率的に受信することができる。
【発明を実施するための最良の形態】
【００１２】
＜第１の実施形態＞
本発明の第一の実施形態を図１を用いて説明する。尚、以下では、メール送受信のプロトコルとして、ＰＯＰ（Ｐｏｓｔ  Ｏｆｆｉｃｅ  Ｐｒｏｔｏｃｏｌ）を用いて説明するが、他のプロトコルであっても良い。
【００１３】
本発明のメール受信システムは、サーバ１００と、端末１１０とを有する。
【００１４】
サーバ１００は、メール記憶部１０１と、取得部１０２と、送受信部１０３とを有する。
【００１５】
メール記憶部１０１には、メールが記憶されている。メール記憶部１０１にメールが記憶される際、メールには、昇順又は降順でメールを一意に識別するメール番号が割り振られる。尚、以下の説明では昇順で割り振られている場合を用いて説明する。
【００１６】
取得部１０２は、メール数と総メールのデータ量(バイト数)の問い合わせを示すＳＴＡＴメッセージを受信すると、問い合わせを送信した端末１１０宛のメール数及び総メールのデータ量を取得する。また、取得部１０２は、端末１１０宛の各メールのヘッダ情報の送付を要求するコマンドであるＴＯＰメッセージを受信すると、各メールのヘッダ情報を取得する。尚、ここで取得するヘッダ情報は、受信又は受信拒否を設定する条件に応じて、全ヘッダ情報を取得してもその一部を取得しても良い。また、取得部１０２は、メールのメッセージ部分を取得（ダウンロード）するＲＥＴＲメッセージを受信すると、要求のあったメールのメッセージ部分をメール記憶部１０１から取得する。
【００１７】
送受信部１０３は、端末１１０からのコマンドを受信し、このコマンドに対する応答を送信する。
【００１８】
端末１１０は、送受信部１１４と、条件記憶部１１１と、コマンド発行部１１２と、比較部１１３とを有する。
【００１９】
条件記憶部１１１は、メールを受信及び受信拒否する条件の少なくとも一方が一つ以上記憶されている。条件記憶部１１１に記憶されている条件は、受信するメールの条件及び受信拒否するメールの条件のどちらかが記された図３（ａ）のようなテーブルを記憶させても、メールを受信する条件と受信拒否する条件とを別々のテーブルとして記憶させても、図３（ｂ）のように条件毎に受信又は受信拒否を対応付けて１つのテーブルとして記憶させても良い。条件記憶部１１１に記憶されている条件は、メールのヘッダ情報の一部を表す。条件記憶部１１１に記憶されている条件の一例を図３に示す。差出人はメールの送信元を示している。件名は、メールの件名を示している。件名条件は、件名に設定されている文字列を含む場合を条件にするか、完全一致の場合を条件にするか等を示している。開始日付及び終了日付は、メールの受信日の期間を示している。例えば、図３（ａ）のＮｏ１には、差出人が「ｈｏｇｅ１＠ｈｏｇｅ．ｃｏ．ｊｐ」、件名が「ＨＯＧＥ」、件名条件が「含む」、開始日付が「２００８年１１月１日」が、終了日付が「２００８年１１月１日」と記されている。これは、メールの送信元が「ｈｏｇｅ１＠ｈｏｇｅ．ｃｏ．ｊｐ」であり、件名に「ＨＯＧＥ」を含み、送信日付が２００８年１１月１日から２００８年１１月１日までのメールを条件に設定した場合を示している。図３（ａ）のＮｏ２の場合は、差出人が「ｈｏｇｅ２＠ｈｏｇｅ．ｃｏ．ｊｐ」であり、件名に「ＨＯＧＥ」を含み、送信日付が２００８年１１月１日以降であるメールを条件に設定した場合を示している。図３（ａ）のＮｏ３の場合は、差出人が「ｈｏｇｅ３＠ｈｏｇｅ．ｃｏ．ｊｐ」であり、件名が「ＨＯＧＥ3」であり、送信日付が２００８年１１月１日以前のメールを条件に設定した場合を示している。図３（ａ）のＮｏ４は、差出人が「ｈｏｇｅ４＠ｈｏｇｅ．ｃｏ．ｊｐ」であり、送信日付が２００８年１１月１日以降２００８年１１月３０日以前のメールを条件に設定した場合を示している。図３（ａ）のＮｏ５は、差出人が「ｈｏｇｅ５＠ｈｏｇｅ．ｃｏ．ｊｐ」であるメールを条件に設定した場合を示している。図３（ａ）のＮｏ６は、件名に「ＦＵＧＡ」及び「ＰＩＹＯ」を含むメールを条件に設定した場合を示している。図３（ａ）のＮｏ７は、送信日付が２００８年１１月２日であるメールを条件に設定した場合を示している。尚、例えば送信元アドレスの条件を設定し、メールの件名及び送信日付の条件を設定しない等、全ての項目について条件を設定しなくても構わない。
【００２０】
コマンド発行部１１２は、メール記憶部１０１内の自端末宛のメールのメール数及び全体データ量(バイト数)の問い合わせを示すコマンドであるＳＴＡＴメッセージを発行する。また、自端末宛の各メールのヘッダ情報の送付を要求するコマンドであるＴＯＰメッセージを発行する。また、コマンド発行部１１２は、メールメッセージを取得（ダウンロード）するＲＥＴＲメッセージを発行する。
【００２１】
比較部１１３は、ＴＯＰコマンドに応答して送信されたヘッダ情報を解析して、各メールのヘッダ情報に含まれている各項目、例えばＦｒｏｍ（送信元アドレスと名前）、Ｓｕｂｊｅｃｔ(メールの件名)、Ｄａｔｅ（送信日時）等、メールを識別することができる情報を抽出する。抽出した情報は、例えば図７の（ａ）に示すようにテキストデータ形式で保持しても良いし、図７の（ｂ）に示すようにリスト形式で保持しても良い。尚、上述以外に、Ｒｅｃｅｉｖｅｄ（配送経路）、Ｒｅｔｕｒｎ−Ｐａｔｈ（メールの差し戻し先）等の情報を用いても良い。また、本実施形態では、送信日時を用いて説明するが、送信日時の代わりに、メールの配信経路内の所定のサーバを通過した日時等を用いても良い。
【００２２】
また、比較部１１３は、各メールのヘッダ情報に含まれている項目の少なくとも一つが条件記憶部１１１に記憶された条件に一致するか比較する。比較の結果、条件に一致するヘッダ情報を有するメールを受信又は受信拒否するかを判定する。例えば、条件記憶部１１１に記憶されている条件が図３（ａ）に示されている内容であるとし、抽出したヘッダ情報が図７の（ａ）であるとして説明すると、図３（ａ）の送信元アドレスと図７のＦｒｏｍとを比較する。図３（ａ）の件名及び件名条件と図７のＳｕｂｊｅｃｔとを比較する。図３（ａ）の開始日付及び終了日付と図７のＤａｔｅとを比較する。図７の例は、図３（ａ）の１の条件を満たしているので、受信又は受信拒否の条件に一致したと判定される。
【００２３】
送受信部１１４は、比較部１１３の比較結果に基づいて、条件記憶部１１１に記憶された条件に合致するヘッダ情報に対応するメールを受信又は受信拒否する。また、コマンド発行部１１２が発行した各種コマンドをサーバ１００に送信する。更に、送受信部１１４は、サーバ１００から送信されるデータを受信する。
【００２４】
上述のような構成を持つ本発明の動作について、図２を用いて説明する。
【００２５】
尚、以下の動作説明では、条件記憶部１０７には、受信するメールのヘッダ情報の条件が設定されている場合を用いて説明する。また、サーバ１００と端末１１１との間で認証が既に終了し、サーバ１００は端末１１１宛のメールに関する処理を行うものとして説明する。
【００２６】
コマンド発行部１１２は、ＳＴＡＴメッセージを発行し、送受信部１１４を介してサーバ１００に通知する。
【００２７】
サーバ１００の送受信部１０３は端末からのＳＴＡＴメッセージを受信して取得部１０２に通知する。この通知を受けた取得部１０２は、メール記憶部１０１に記憶されている端末１１０宛のメール数と総メールのサイズを取得して、送受信部１０３を介して端末１１０に送信する。
【００２８】
送受信部１１４はサーバ１００より送信されたメール数と総メールのサイズを受信し、コマンド発行部１１２はメール数を取得する（２０１）。
【００２９】
続いて、コマンド発行部１１２は、サーバに記憶されているメールに、メールを一意に識別する識別情報であるメール番号が昇順に割り振られていることを予め認識しているため、ＴＯＰメッセージに昇順でメール番号を記して、送受信部１１４を介してサーバ１００に送信する。
【００３０】
取得部１０２は、送受信部１０３を介して受信した各ＴＯＰメッセージに応答し、ＴＯＰメッセージに記されているメール番号が付されているメールのヘッダ情報をメール記憶部１０１に記憶されているメールから取得する。続いて、取得部１０２は、取得したメールのヘッダ情報をこのヘッダ情報を有するメールのメール番号と共に送信部１０３に送る。
【００３１】
送信部１０３は、取得部１０２から受信したヘッダ情報とメール番号とを端末１１０に送信する（２０２）。
【００３２】
比較部１１３は、送受信部１１４を介してヘッダ情報とメール番号とを受け取る。比較部１１３は取得したメール番号を、例えば変数、データベース又はテキスト文書等に保存しておく。ここでは、変数として保存する場合を用いて説明する。
【００３３】
続いて、比較部１１３は、取得したヘッダ情報を解析する（２０３）。
【００３４】
続いて、比較部１１３は、解析したヘッダ情報の各項目と、条件記憶部１１１に記憶されている条件とが一致するか比較する(２０４)。例えば、図３（ａ）と図７とを用いて説明すると、図３（ａ）の送信元アドレスと図７のＦｒｏｍとを比較する。図３（ａ）の件名及び件名条件と図７のＳｕｂｊｅｃｔとを比較する。図３（ａ）の開始日付及び終了日付と図７のＤａｔｅとを比較する。図７の例は、図３（ａ）の１の条件を満たしているので、受信メール条件に一致したと判定される。尚、比較方法については、例えば解析された各メールのヘッダ情報を、一時的にデータベースに保存し、条件記憶部１１１に記憶されている条件を用いてＳＱＬを発行して比較しても良いし、受信するメールのヘッダ情報の条件を検索キーにして、テキストデータを検索しても良い。
【００３５】
解析されたヘッダ情報に含まれる項目の少なくとも一つが受信するメールのヘッダ情報の条件に一致すると、コマンド発行部１１２はメールのメッセージ部分を取得（ダウンロード）するＲＥＴＲメッセージを発行する。この時、コマンド発行部１１２は、変数に保存されているメール番号を比較部１１３から受け取り、ＲＥＴＲメッセージに記す。
【００３６】
送受信部１１２は、コマンド発行部１１２が発行したＲＥＴＲメッセージをサーバ１００に送信する。
【００３７】
取得部１０２は、送受信部１０３を介して受信したＲＥＴＲメッセージに記されているメール番号に対応するメールのメッセージ部分をメール記憶部１０１から取得する。送受信部１０３は、取得部１０２が取得したメッセージ部分を端末１１０に送信する。送受信部１１４は、送受信部１０３によって送信されたメッセージ部分を受信する（２０５）。
【００３８】
１メールの受信又は受信拒否が終了するとカウントアップし、ＳＴＡＴメッセージによって取得されたメールの数分２０３〜２０６の処理を繰り返す。
【００３９】
尚、ステップ２０４で条件に一致するメールがメール記憶部１０１に一つも存在しないと判定された場合には、比較部１１３は条件不一致を示すメッセージを表示部（図示せず）に表示させるようにしても良い（２０７）。
【００４０】
ステップ２０２〜２０６の処理が、ＳＴＡＴメッセージによって取得されたメールの数分終了したら、処理の終了を示すＱＵＩＴメッセージを発行し、ログアウトする（２０８）。
＜第２の実施形態＞
次に、本発明の第２の実施形態を、図４を用いて説明する。
【００４１】
第２の実施形態では、条件記憶部４１１に、端末４１０が受信するメールの条件及び端末が受信拒否するメールの条件が記憶されている場合について説明する。
【００４２】
尚、上記実施の形態と同様の構成については、同一番号を付してその説明は省略する。
【００４３】
条件設定部４１１には、メールを受信及び受信拒否する条件の少なくとも一方が一つ以上記憶されている。本実施形態では、メールを受信及び受信拒否する条件を１つのテーブルとして記憶する場合について、例として図３（ｂ）を用いて説明する。差出人、件名、件名条件、開始日付及び終了日付については、第１の実施形態と同様のため説明を省略する。受信・受信拒否設定は、メールを受信するか、メールを受信拒否するかを示している。メールを受信する条件と受信拒否する条件とを１つのテーブルとして記憶させる場合、受信・受信拒否設定は、必須入力項目となる。例えば、図３（ｂ）のＮｏ１は、差出人が「ｈｏｇｅ１＠ｈｏｇｅ．ｃｏ．ｊｐ」であり、件名に「ＨＯＧＥ」を含み、送信日付が２００８年１１月１日から２００８年１１月１日までのメールを受信すると設定した場合を示している。図３（ｂ）のＮｏ２は、差出人が「ｍｅｉｗａｋｕ＠ｈｏｇｅ．ｃｏ．ｊｐ」であるメールを受信拒否すると設定した場合を示している。図３（ｂ）のＮｏ３は、件名に「ｍｅｉｗａｋｕ」を含むメールを受信拒否すると設定した場合を示している。
【００４４】
尚、メールを受信する条件と受信拒否する条件とを別々のテーブルとして記憶させる場合は、条件設定部４１１は、図３（ａ）の構造を持つメール受信条件テーブル４１６と、図３（ａ）の構造を持つメール受信拒否条件テーブル４１７とを有し、メール受信条件テーブル４１６には、メールを受信する条件が記憶され、メール受信拒否条件テーブル４１７には、メールの受信を拒否する条件が記憶される。
【００４５】
比較部４１３は、各メールのヘッダ情報に含まれている項目の少なくとも一つが条件記憶部４１１に記憶された条件に一致するか比較する。比較の結果、条件に一致するヘッダ情報を有するメールを受信又は受信拒否するかを判定する。
【００４６】
削除要求部４１５は、比較部４１３の比較結果に基づいて、条件記憶部４１１のメール受信拒否条件テーブル４１７に記憶されている条件に合致するヘッダ情報に対応するメールをメール記憶部１０１から削除すると判定する。
【００４７】
コマンド発行部４１２は、第１の実施形態の処理内容に加えて、メール削除を要求するコマンドであるＤＥＬＥメッセージを発行する。
【００４８】
削除部４０４は、送受信部１０３を介して受け取った、コマンド発行部４１２が発効したＤＥＬＥメッセージに基づいて、メールをメール記憶部１０１から削除する。
【００４９】
上述のような構成を持つ本発明の動作について、図５を用いて説明する。
【００５０】
まず、ステップ２０１〜２０４は、上記第１の実施の形態と同じであるため、説明を省略する。
【００５１】
ステップ２０４で、解析したヘッダ情報の各項目と、条件記憶部１１１に記憶されている条件とが一致すると判定された場合、その条件が削除条件であるかを判定する（ステップ５０１）。
【００５２】
ステップ５０１で、削除条件ではないと判定された場合（Ｎｏ）、上記第１の実施の形態のステップ２０５を行う。
【００５３】
一方、ステップ５０１で、削除条件であると判定された場合（Ｙｅｓ）、コマンド発行部４１２は、メールをメール記憶部１０１から削除するＤＥＬＥメッセージを発行する。この時、比較部４１３によって変数に保存されているメール番号をＤＥＬＥメッセージに記す。
【００５４】
送受信部１１４は、コマンド発行部４１２が発行したＲＥＴＲメッセージをサーバ１００に送信する。
【００５５】
削除部４０４は、送受信部１０３を介してＤＥＬＥメッセージを受信すると、ＤＥＬＥメッセージに記されているメール番号に対応付けられているメールをメール記憶部１０１から削除する（５０２）。削除後、削除部４０４は、メールを削除したことを示すメッセージを端末宛に送信する。コマンド発行部４１２は、メール削除を示すメッセージを送受信部１１４を介して受信すると、ステップ２０８を実行する。尚、コマンド発行部４１２は、メール削除を示すメッセージを受信後、メールを削除したことを示すメッセージを表示部に表示させても良い。
【００５６】
１メールの受信又は受信拒否が終了すると、メール番号をカウントアップし、ＳＴＡＴメッセージによって取得されたメールの数分受信又は受信拒否の処理を繰り返す（ステップ２０６）。
【００５７】
尚、ステップ２０４で、受信メール条件及び削除メール条件に一致するメールがサーバのメール記憶部１０１に一つも存在しないと判定された場合には、上記第１の実施の形態のステップ２０７を実行する（５１１）。
【００５８】
尚、本発明の各構成部は、上述の通りハードウェアで構成することも可能であるが、コンピュータに記憶されたプログラムにより実現することも可能である。
【００５９】
本発明のメール受信システムを実装することにより、無用なメールの受信処理を自動で省くことができ、効率的に必要とするメールを受信することができる。
【００６０】
また、本発明のメール受信システムでは、メールを受信又は受信拒否する処理をクライアント端末で行うため、サーバや回線の負荷を減らすことができる。
【図面の簡単な説明】
【００６１】
【図１】本発明の第一の実施形態の構成
【図２】本発明の第一の実施形態処理フロー
【図３】メール受信条件又はメール受信拒否条件記憶部の設定例
【図４】本発明の第二の実施形態の構成
【図５】本発明の第二の実施形態処理フロー
【図６】各メールのヘッダ情報の例
【図７】各メールのヘッダ情報解析後の例
【符号の説明】
【００６２】
１００  サーバ
１０１  メール記憶部
１０２  取得部
１０３  送受信部
１１０，４１０  端末
１１１，４１１  条件記憶部
１１２，４１２  コマンド発行部
１１３，４１３  比較部
１１４  送受信部
４０４  削除部
４１５  削除要求部
４１６  メール受信条件テーブル
４１７  メール受信拒否条件テーブル
【図１】
2010128944.tif 000003
【図２】
2010128944.tif 000004
【図３】
2010128944.tif 000005
【図４】
2010128944.tif 000006
【図５】
2010128944.tif 000007
【図６】
2010128944.tif 000008
【図７】
2010128944.tif 000009